(57)【要約】【課題】幹線とこの幹線から分岐する支線との分岐部に取り付けられるクリップにおいて、分岐部への取付作業の容易化を図ることができるクリップを提供する。【解決手段】クリップ１は、装着部１１と、バンド部１２と、係止部１３と、ベース部１４と、アーム部１５とを備える。前記ベース部は、前記バンド部の長手方向と交差する方向に延びた状態で前記係止部に連結され、分岐部５の一部を囲み得るように構成される。前記アーム部は、前記ベース部に係合可能に形成され、前記ベース部に係合することで前記分岐部の残部を囲み得るように構成される。そして、前記バンド部が前記分岐部で幹線３に巻回されたとき、前記ベース部及び前記アーム部が、前記分岐部を囲む環状を呈するように係合し、前記バンド部と協働して前記幹線と支線４とを隔てる構成とされる。【選択図】図１
2016005416.tif 000002
【特許請求の範囲】
【請求項１】
幹線とこの幹線から分岐する支線との分岐部に取り付けられるクリップであって、
取付体に装着される装着部と、
前記分岐部で前記幹線に巻回され得るバンド部と、
前記バンド部をその長手方向一端部から通過させつつ抜け止めした状態で保持可能な係止孔を有し、前記バンド部の長手方向他端部と前記装着部との間に設けられた係止部と、
前記バンド部の長手方向と交差する方向に延びた状態で前記係止部に連結され、前記分岐部の一部を囲み得るベース部と、
前記ベース部に係合可能に形成され、前記ベース部に係合することで前記分岐部の残部を囲み得るアーム部とを備え、
前記バンド部が前記幹線に巻回されたとき、前記ベース部及び前記アーム部が、前記分岐部を囲む環状を呈するように係合し、前記バンド部と協働して前記幹線と前記支線とを隔てる構成とされていることを特徴とするクリップ。
【請求項２】
前記ベース部が、延在方向途中部分で前記係止部に連結され、その連結部分を挟む両端部のうちの一端部に係合凹部又は係合凸部を設けられ、
前記アーム部が、一端部で前記ベース部の他端部に回動可能に連結され、前記ベース部の一端部に対して近接又は離間可能な他端部に前記ベース部の係合凹部又は係合凸部に係合可能な係合凸部又は係合凹部を設けられていることを特徴とする請求項１に記載のクリップ。
【請求項３】
前記ベース部が、延在方向途中部分で前記係止部に連結され、その連結部分を挟む両端部のうちの一端部に第１係合凸部又は第１係合凹部を設けられ且つ他端部に第２係合凸部又は第２係合凹部を設けられ、
前記アーム部が、前記バンド部の長手方向と交差する方向に延びた状態で前記バンド部の長手方向途中部分に連結され、その連結部分を挟む両端部のうちの一端部に前記ベース部の第１係合凸部又は第１係合凹部に係合可能な第３係合凹部又は第３係合凸部を設けられ且つ他端部に前記ベース部の第２係合凸部又は第２係合凹部に係合可能な第４係合凹部又は第４係合凸部を設けられていることを特徴とする請求項１に記載のクリップ。
【発明の詳細な説明】
【技術分野】
【０００１】
本発明は、クリップに関する。
【背景技術】
【０００２】
従来、自動車等において複数本のワイヤハーネスを束ねた幹線とこの幹線から分岐する支線との分岐部に取り付けられ、この分岐部に取り付けられた状態でパネル等の取付体に装着されるクリップが知られている（例えば、特許文献１参照）。
【０００３】
この種のクリップは、取付体に装着される装着部と、分岐部で幹線に巻回される一対のバンド部と、前記バンド部の長手方向他端部及び前記装着部に連結された係止部とを備える。前記係止部には、前記バンド部をその長手方向一端部から通過させつつ抜け止めした状態で保持可能な係止孔が、それぞれの前記バンド部に対応するように一対設けられている。
【０００４】
そして、前記クリップを分岐部に取り付けるときには、まず、一対のバンド部のうち一方のバンド部を前記分岐部に巻回して係止孔に通過させたあと、この係止孔から突出する前記一方のバンド部の先端部を引っ張って引締操作を行う。次に、他方のバンドについても、同様の作業を行う。さらに、前記一対のバンド部のそれぞれについて、前記係止孔から突出する前記各バンド部の先端部側を所定長さとなるように適宜切断する。
【０００５】
このように、前記一対のバンド部を備えるクリップを用いた場合、幹線と支線との分岐部への取付に際して、バンド部についての繁雑な作業を繰り返し行わなければならなかった。したがって、前記クリップの前記分岐部への取付作業が非常に面倒なものとなっていた。
【先行技術文献】
【特許文献】
【０００６】
【特許文献１】特開平１１−４５２６号公報
【発明の概要】
【発明が解決しようとする課題】
【０００７】
本発明は、このような事情に鑑みてなされたものであり、幹線とこの幹線から分岐する支線との分岐部に取り付けられるクリップにおいて、分岐部への取付作業の容易化を図ることができるクリップを提供することを目的とする。
【課題を解決するための手段】
【０００８】
請求項１に係る発明は、幹線とこの幹線から分岐する支線との分岐部に取り付けられるクリップであって、取付体に装着される装着部と、前記分岐部で前記幹線に巻回され得るバンド部と、前記バンド部をその長手方向一端部から通過させつつ抜け止めした状態で保持可能な係止孔を有し、前記バンド部の長手方向他端部と前記装着部との間に設けられた係止部と、前記バンド部の長手方向と交差する方向に延びた状態で前記係止部に連結され、前記分岐部の一部を囲み得るベース部と、前記ベース部に係合可能に形成され、前記ベース部に係合することで前記分岐部の残部を囲み得るアーム部とを備え、前記バンド部が前記幹線に巻回されたとき、前記ベース部及び前記アーム部が、前記分岐部を囲む環状を呈するように係合し、前記バンド部と協働して前記幹線と前記支線とを隔てる構成とされているものである。
【０００９】
この構成によれば、前記クリップを前記分岐部に取り付けたとき、前記バンド部と前記ベース部及び前記アーム部とを用いて、前記支線の分岐状態を安定的に保持することができる。しかも、前記クリップの前記分岐部への取付に際しては、前記バンド部を前記分岐部で前記幹線に巻き付けたあと、前記ベース部に前記アーム部を係合させる簡単な操作を行うだけで、取付作業を完了させることが可能となる。よって、前記クリップの前記分岐部への取付作業の容易化を図ることができる。
【００１０】
請求項２に係る発明は、請求項１に記載のクリップにおいて、前記ベース部が、延在方向途中部分で前記係止部に連結され、その連結部分を挟む両端部のうちの一端部に係合凹部又は係合凸部を設けられ、前記アーム部が、一端部で前記ベース部の他端部に回動可能に連結され、前記ベース部の一端部に対して近接又は離間可能な他端部に前記ベース部の係合凹部又は係合凸部に係合可能な係合凸部又は係合凹部を設けられているものである。
【００１１】
この構成によれば、前記クリップの前記分岐部への取付に際して、前記バンド部を前記幹線に巻き付けたあと、前記アーム部の回動により前記係合凹部と前記係合凸部との係合をより簡単に行うことが可能となる。
【００１２】
請求項３に係る発明は、請求項１に記載のクリップにおいて、前記ベース部が、延在方向途中部分で前記係止部に連結され、その連結部分を挟む両端部のうちの一端部に第１係合凸部又は第１係合凹部を設けられ且つ他端部に第２係合凸部又は第２係合凹部を設けられ、前記アーム部が、前記バンド部の長手方向と交差する方向に延びた状態で前記バンド部の長手方向途中部分に連結され、その連結部分を挟む両端部のうちの一端部に前記ベース部の第１係合凸部又は第１係合凹部に係合可能な第３係合凹部又は第３係合凸部を設けられ且つ他端部に前記ベース部の第２係合凸部又は第２係合凹部に係合可能な第４係合凹部又は第４係合凸部を設けられているものである。
【００１３】
この構成によれば、前記クリップの前記分岐部への取付に際して、前記バンド部を前記幹線に巻き付けたとき、前記ベース部に前記アーム部を近接させて、対応する係合凹部と係合凸部と係合をより簡単に行うことが可能となる。
【発明の効果】
【００１４】
本発明によれば、幹線とこの幹線から分岐する支線との分岐部に取り付けられるクリップにおいて、分岐部への取付作業の容易化を図ることができるクリップを提供することができる。
【図面の簡単な説明】
【００１５】
【図１】本発明の第１実施形態に係るクリップの使用状態の斜視図である。
【図２】図１のクリップの使用状態の斜視図である。
【図３】図１のクリップの斜視図である。
【図４】図３のクリップの正面図である。
【図５】図３のクリップの側面図である。
【図６】本発明の第２実施形態に係るクリップの斜視図である。
【図７】図６のクリップの正面図である。
【図８】図６のクリップの側面図である。
【発明を実施するための形態】
【００１６】
［第１実施形態］
まず、本発明の第１実施形態について図面を参照しつつ説明する。
【００１７】
図１及び図２に、本発明の第１実施形態に係るクリップ１の使用状態の斜視図を示す。図３に、前記クリップ１の斜視図を示す。図４に、前記クリップ１の正面図を示す。図５に、前記クリップ１の側面図を示す。
【００１８】
図１、図２に示すように、前記クリップ１は、幹線３と、この幹線３から分岐する支線４（本実施形態においては第１支線４Ａ及び第２支線４Ｂ）とを有する被結束物２に用いられるものである。前記クリップ１は、前記被結束物２において前記幹線３と前記支線４との分岐部５に取り付けられ得るように構成されている。
【００１９】
なお、図１、図２では、便宜上、前記幹線３及び前記支線４を模式的に示しているが、実際には、前記幹線３のうちの分岐前の幹線３Ａは複数本の長尺部材（例えば、ワイヤハーネス）を束ねたものからなり、前記幹線３のうちの分岐後の幹線３Ｂ及び前記支線４はそれぞれ少なくとも一本の長尺部材からなる。
【００２０】
図３、図４、図５に示すように、前記クリップ１は、装着部１１と、バンド部１２と、係止部１３と、ベース部１４と、アーム部１５とを備えている。本実施形態において、前記クリップ１は、ナイロン又はポリプロピレン等の合成樹脂から構成されている。
【００２１】
前記装着部１１は、前記クリップ１を自動車又は機器等におけるブロック又はパネル等の取付体（図示せず）に取り付けるために、この取付体に装着され得るものである。本実施形態において、前記装着部１１は、脚部２１と、係合部２２と、圧接部２３とを有している。
【００２２】
前記脚部２１は軸心方向を上下方向として配置され、前記係合部２２及び前記圧接部２３は前記脚部２１の側方に配置されている。前記係合部２２は、弾性を有し、前記脚部２１に対して傾斜した状態で前記脚部２１の軸心方向一端部（下端部）に連結されている。前記圧接部２３は、前記脚部２１に対して傾斜した状態で前記脚部２１の軸心方向他端部（上端部）に連結されている。
【００２３】
そして、前記装着部１１は、前記係合部２２を弾性変形させつつ前記脚部２１を下端部から前記取付体に設けられた取付孔に押し込み、この取付孔から出た前記係合部２２を弾性復元させて前記取付体に係合させる一方、前記圧接部２３を前記取付体に上方から圧接させることで前記取付体を挟み、これにより前記取付体に取り付けられるように構成されている。
【００２４】
前記バンド部１２は、前記分岐部５で前記幹線３を囲むように当該幹線３に巻回され得るものである。本実施形態において、前記バンド部１２は、可撓性を有する帯状に形成され、長手方向一端部（先端部）１２ａ及び長手方向他端部（基端部）１２ｂを備えている。前記バンド部１２の片面には、複数の係合突起２５が長手方向の所定幅にわたって連続的に並べて設けられている。
【００２５】
前記係止部１３は、係止孔２７を有し、前記バンド部１２の基端部１２ｂと前記装着部１１との間に設けられている。前記係止孔２７は、前記バンド部１２を前記先端部１２ａから通過させつつ抜け止めした状態で保持し得るように構成されている。本実施形態において、前記係止部１３は、前記バンド部１２の基端部１２ｂ及び前記装着部１１の脚部２１の上端部と連結されている。
【００２６】
前記係止孔２７は、前記バンド部１２の通過を許容する幅を有し、前記脚部２１の長手方向（上下方向）に対して略直交する方向（前後方向）に延びるように前記係止部１３に設けられている。こうして、前記係止孔２７は、前記被結束物２の分岐部５に巻かれた前記バンド部１２の先端部１２ａを前側の開口部から挿通させ得るようになっている。
【００２７】
前記係止孔２７の内部には、弾性変形自在な係止爪２８が設けられている。前記係止爪２８は、前記分岐部５への巻回にともなって前記バンド部１２がその先端部１２ａから前記係止孔２７に挿入された際、挿入方向への移動は許容しつつ、前記バンド部１２のいずれかの係合突起２５と係合して前記バンド部１２を係止する（抜け止めする）ように構成されている。
【００２８】
また、前記ベース部１４は、前記バンド部１２の長手方向と交差する方向に延びた状態で前記係止部１３に連結され、前記分岐部５の一部（下側部分）を囲み得るように構成されている。本実施形態において、前記ベース部１４は、延在方向途中部で前記係止部１３に連結され、その連結部分を挟む両端部のうちの一端部に係合凹部３１を設けられている。
【００２９】
詳しくは、前記ベース部１４は、前記バンド部１２の短手幅（図７における左右幅）と同程度の短手幅（図４における前後幅）を有し、半円弧状に形成されている。前記ベース部１４は、反前記装着部１１側（上方）に開口するように配置され、当該ベース部１４の延在方向（周方向）に順に第１延長部３２と第１途中部３３と第２延長部３４とを備えている。
【００３０】
前記第１途中部３３は、前記係止部１３に連結される。ここでは、前記係止部１３の一部が、前記第１途中部３３を兼ねるものとなっている。前記第１延長部３２は、基端部で前記第１途中部３３の一側に連結されている。前記第２延長部３４は、基端部で前記第１途中部３３の他側に連結されている。そして、前記第２延長部３４の先端部に、前記係合凹部３１が設けられている。
【００３１】
前記アーム部１５は、前記ベース部１４に係合可能に形成され、前記ベース部１４に係合することで前記分岐部５の残部（上側部分）を囲み得るように構成されている。本実施形態において、前記アーム部１５は、一端部で前記ベース部１４の他端部に回動可能に連結され、前記ベース部１４の一端部に対して近接又は離間可能な他端部に前記ベース部１４の係合凹部３１に係合可能な係合凸部３６を設けられている。
【００３２】
詳しくは、前記アーム部１５は、前記ベース部１４の短手幅と同程度の短手幅を有し、前記ベース部１４と略同径の半円弧状に形成されている。前記アーム部１５は、前記ベース部１４の開口側に開口するように配置され、当該アーム部１５の延在方向（周方向）に順に第３延長部３７と第２途中部３８と第４延長部３９とを備えている。
【００３３】
前記第３延長部３７は、基端部で前記ベース部１４の第１延長部３２の先端部に回動可能に連結されている。前記第２途中部３８は、基端部で前記第３延長部３７の先端部に連結されている。前記第４延長部３９は、基端部で前記第２途中部３８の先端部に連結されている。そして、前記第４延長部３９の先端部に、前記係合凸部３６が設けられている。
【００３４】
本実施形態においては、前記ベース部１４の係合凹部３１は互いに対向配置された係合片３１ａとガイド片３１ｂとを有し、前記アーム部１５の係合凸部３６は係合爪３６ａを有している。そして、前記アーム部１５の回動により前記係合凸部３６が前記係合凹部３１に近接した場合に、前記係合爪３６ａが前記係合片３１ａと前記ガイド片３１ｂとの間に差し込まれて当該係合片３１ａと係合し得るようになっている。
【００３５】
そして、前記クリップ１においては、図１、図２に示すように、前記バンド部１２が前記分岐部５で前記幹線３に巻回された後に前記係止部１３により係止されたとき、前記ベース部１４及び前記アーム部１５が、前記係合凹部３１及び前記係合凸部３６を用いて前記分岐部５を囲む環状（ほぼ円形状）を呈するように係合し、前記バンド部１２と協働して前記幹線３と前記支線４（前記第１支線４Ａ・前記第２支線４Ｂ）とを隔てることができるように構成されている。
【００３６】
ここでは、前記ベース部１４及び前記アーム部１５は、前記第２延長部３４と前記第４延長部３９との間を開放した状態にあるときに前記第１延長部３２と前記第３延長部３７との連結部分を支点として前記アーム部１５を図４における反時計回り方向に回動させて、前記係合爪３６ａを前記係合片３１ａに係合させることで前記係合凸部３６を前記係合凹部３１に係止し、これにより環状に保持される。
【００３７】
以上のような構成において、前記クリップ１を前記被結束物２の分岐部５に取り付ける場合、まず、前記分岐部５付近において、前記バンド部１２の基端部１２ｂ側を前記分岐後の幹線３Ｂと前記第１支線４Ａとの間に配置するとともに、前記ベース部１４を前記幹線３の軸心方向に対して斜めにしつつ前記分岐部５の下方及び側方に配置する。
【００３８】
この際、前記ベース部１４に関しては、前記第１途中部３３は、前記分岐部５の下方に配置する。前記第１延長部３２は、前記分岐前の幹線３Ａと前記第１支線４Ａとの間に配置する。一方、前記第２延長部３４は、前記分岐後の幹線３Ｂと前記第２支線４Ｂとの間に配置する。
【００３９】
次に、前記バンド部１２の基端部１２ｂを前述の位置に保持したまま、前記バンド部１２の先端部１２ａ側を前記幹線３の軸心方向に対して斜め移動させて、前記分岐前の幹線３Ａと前記第２支線４Ｂとの間に配置し、つづいて前記バンド部１２の先端部１２ａを前記係止部１３の係止孔２７に前側から挿入する。こうして、前記バンド部１２により前記幹線３を囲む。
【００４０】
そして、前記バンド部１２の先端部１２ａ側を前記係止孔２７から外部に突出させ、前記先端部１２ａを後方に引っ張る。これにより、前記バンド部１２を前記幹線３に巻き付けて、この幹線３を前記バンド部１２により所定通りに締付け結束することができる。同時に、前記係合突起２５を前記係止部１３の係止爪２８に係合させて、前記バンド部１２による結束状態を維持することができる。
【００４１】
最後に、前記アーム部１５をその一部が前記バンド部１２と重なるように回動して、前記第４延長部３９を前記分岐後の幹線３Ｂと前記第２支線４Ｂとの間に配置しつつ、前記係合凸部３６を前記係合凹部３１に係合させる。これにより、図１、図２に示すように、前記分岐部５において、前記バンド部１２と前記ベース部１４及び前記アーム部１５とをたすき掛け状に配して、前記幹線３と前記第１支線４Ａと前記第２支線４Ｂとを互いに隔離した状態を維持することが可能となる。
【００４２】
したがって、前記クリップ１を前記被結束物２の分岐部５に取り付ける際、前記幹線３（前記分岐前の幹線３Ａ及び前記分岐後の幹線３Ｂ）と前記第１支線４Ａと前記第２支線４Ｂとを、前記バンド部１２と前記ベース部１４及び前記アーム部１５とにより互いに隔離して、前記第１支線４Ａ及び前記第２支線４Ｂの分岐状態を安定的に保持することができる。
【００４３】
しかも、前記クリップ１の前記分岐部５への取付に際しては、前記バンド部１２を前記分岐部５で前記幹線３に巻き付けたあと、前記係合凹部３１及び前記係合凸部３６を用いて前記ベース部１４に前記アーム部１５を係合させる簡単な操作（ワンタッチ操作）を行うだけで、取付作業を完了させることが可能となる。よって、前記クリップ１の前記分岐部５への取付作業の容易化を図ることができる。
【００４４】
また、本実施形態においては、図３、図４に示すように、前記アーム部１５の係合凸部３６が、複数の段部を有するように形成されている。前記ベース部１４の係合凹部３１が、前記複数の段部のいずれかを用いて前記係合凸部３６と係合可能に形成されている。そして、前記ベース部１４及び前記アーム部１５が、前記幹線３の直径に合わせて係合位置を調整し得るように構成されている。
【００４５】
具体的には、前記係合凸部３６は、前記係合爪３６ａが前記アーム部１５の周方向へ階段状となるように形成され、前記係合爪３６ａのいずれかの段部が前記係合凹部３１の係合片３１ａと係合可能なように形成されている。こうして、前記係合片３１ａに係合する前記係合爪３６ａの段部を変更することで、係合時に環状を呈する前記ベース部１４及び前記アーム部１５の内径を変化させ得るようになっている。
【００４６】
なお、本発明に係る装着部は、本実施形態においては前記装着部１１としているが、その構成は特に限定するものではなく、取付体に装着され得るものであればよい。
【００４７】
なお、本発明に係るベース部及びアーム部は、それぞれ、本実施形態においては前記係合凹部を有する前記ベース部、及び前記係合凸部を有するアーム部としているが、これに代えて、係合凸部を有するベース部、及びこの係合凸部に係合可能な係合凹部を有するアーム部としてもよい。
【００４８】
［第２実施形態］
次に、本発明の第２実施形態について図面を参照しつつ説明する。
【００４９】
図６に、本発明の第２実施形態に係るクリップ５１の斜視図を示す。図７に、前記クリップ５１の正面図を示す。図８に、前記クリップ５１の側面図を示す。
【００５０】
第２実施形態に係る前記クリップ５１は、ベース部５４及びアーム部５５を備える点で、第１実施形態に係る前記クリップ１と相違する。なお、第１実施形態と実質的に同一部分については同一符号を付し、その説明を省略する。
【００５１】
図６、図７、図８に示すように、前記クリップ５１は、装着部１１と、バンド部１２と、係止部１３と、前記ベース部５４と、前記アーム部５５とを備えている。本実施形態において、前記クリップ５１は、ナイロン又はポリプロピレン等の合成樹脂から構成されている。
【００５２】
前記ベース部５４は、前記バンド部１２の長手方向と交差する方向に延びた状態で前記係止部１３に連結され、被結束物の分岐部の一部（下側部分）を囲み得るように構成されている。本実施形態において、前記ベース部５４は、延在方向途中部分で前記係止部１３に連結され、その連結部分を挟む両端部のうちの一端部に第１係合凸部６１Ａが設けられ且つ他端部に第２係合凸部６１Ｂを設けられている。
【００５３】
詳しくは、前記ベース部５４は、前記バンド部１２の短手幅（図７における左右幅）と同程度の短手幅（図７における前後幅）を有し、半円弧状に形成されている。前記ベース部５４は、反前記装着部１１側（上方）に開口するように配置され、当該ベース部１４の延在方向（周方向）に順に第１延長部６２と第１途中部６３と第２延長部６４とを備えている。
【００５４】
前記第１途中部６３は、前記係止部１３に連結される。ここでは、前記係止部１３の一部が、前記第１途中部６３を兼ねるものとなっている。前記第１延長部６２は、基端部で前記第１途中部６３の一側に連結されている。前記第２延長部６４は、基端部で前記第１途中部６３の他側に連結されている。そして、前記第１延長部６２の先端部に前記第１係合凸部６１Ａが設けられ、前記第２延長部６４の先端部に前記第２係合凸部６１Ｂが設けられている。
【００５５】
前記アーム部５５は、前記ベース部５４に係合可能に形成され、前記ベース部５４に係合することで前記分岐部の残部（上側部分）を囲み得るように構成されている。本実施形態において、前記アーム部５５は、前記バンド部１２の長手方向と交差する方向に延びた状態で前記バンド部１２の長手方向途中部分に連結され、その連結部分を挟む両端部のうちの一端部に前記ベース部５４の第１係合凸部６１Ａに係合可能な第３係合凹部６６Ａを設けられ、且つ、他端部に前記ベース部５４の第２係合凸部６１Ｂに係合可能な第４係合凹部６６Ｂを設けられている。
【００５６】
詳しくは、前記アーム部５５は、一部を前記バンド部１２の短手幅と同程度の短手幅とし、所定の長手幅を有する直線状に形成されている。前記アーム部５５は、前記バンド部１２の巻回動作にともなって両端部を移動させることができるように当該バンド部１２に一体的に固定され、その延在方向に順に第３延長部６７と第２途中部６８と第４延長部６９とを備えている。
【００５７】
前記第２途中部６８は、前記バンド部１２の長手方向途中部に連結される。ここでは、前記バンド部１２の長手方向途中部が、前記第２途中部６８を兼ねるものとなっている。前記第３延長部６７は、基端部で前記第２途中部６８の一側に連結されている。前記第４延長部６９は、基端部で前記第２途中部６８の他側に連結されている。そして、前記第３延長部６７の先端部に前記第３係合凹部６６Ａが設けられ、前記第４延長部６９の先端部に前記第４係合凹部６６Ｂが設けられている。
【００５８】
本実施形態においては、前記ベース部５４の第１係合凸部６１Ａ及び第２係合凸部６１Ｂはそれぞれ係合爪を有し、前記アーム部５５の第３係合凹部６６Ａ及び第４係合凹部６６Ｂはそれぞれ係合孔を有している。そして、前記バンド部１２の巻回動作により前記第３係合凹部６６Ａが前記第１係合凸部６１Ａに、又、前記第４係合凹部６６Ｂが前記第２係合凸部６１Ｂに近接した場合に、前記各係合孔が対応する前記係合爪を嵌め込んでこれと係合し得るようになっている。
【００５９】
そして、前記クリップ５１においては、前記バンド部１２が前記分岐部で幹線に巻回された後に前記係止部１３により係止されたとき、前記ベース部５４及び前記アーム部５５が、前記第１係合凸部６１Ａ及び前記第２係合凸部６１Ｂ並びに前記第３係合凹部６６Ａ及び前記第４係合凹部６６Ｂを用いて前記分岐部５を囲む環状を呈するように係合して、前記幹線とこの幹線から分岐する支線とを隔てることができるように構成されている。
【００６０】
ここでは、前記ベース部５４及び前記アーム部５５は、前記バンド部１２の前記幹線への巻回にともなって前記アーム部５５の両端部をそれぞれ前記ベース部５４の両端部に対して離間位置から近接位置へ移動させて、前記各係合孔を対応する前記係合爪に係合させることで前記第３係合凹部６６Ａを前記第１係合凸部６１Ａに係止し且つ前記第４係合凹部６６Ｂを前記第２係合凸部６１Ｂに係止し、これにより環状に保持される。
【００６１】
以上のような構成により、前記クリップ５１は、第１実施形態と同様の作用効果を奏することができる。すなわち、前記バンド部１２と前記ベース部５４及び前記アーム部５５とを用いて、前記支線の分岐状態を安定的に保持することができる。しかも、前記クリップ５１の前記分岐部への取付に際しては、前記バンド部１２の巻回後、前記第１係合凸部６１Ａ及び前記第２係合凸部６１Ｂ並びに前記第３係合凹部６６Ａ及び前記第４係合凹部６６Ｂを用いて前記ベース部５４に前記アーム部５５を係合させる簡単な操作を行うだけで、取付作業を完了させることが可能となる。よって、前記クリップ５１の前記分岐部への取付作業の容易化を図ることができる。
【００６２】
なお、本発明に係るベース部及びアーム部は、それぞれ、本実施形態においては前記第１係合凸部６１Ａ及び前記第２係合凸部６１Ｂを有する前記ベース部５４、及び、前記第３係合凹部６６Ａ及び前記第４係合凹部６６Ｂを有する前記アーム部５５としているが、これに限定するものではなく、例えば、両端部に係合凹部を有するベース部、及び、両端部に係合凸部を有するアーム部としてもよい。
【符号の説明】
【００６３】
１      クリップ
３      幹線
４      支線
５      分岐部
１１    装着部
１２    バンド部
１２ａ  先端部（長手方向一端部）
１２ｂ  基端部（長手方向他端部）
１３    係止部
１４    ベース部
１５    アーム部
２７    係止孔
３１    係合凹部
３６    係合凸部
５１    クリップ
５４    ベース部
５５    アーム部
６１Ａ  第１係合凸部
６１Ｂ  第２係合凸部
６６Ａ  第３係合凹部
６６Ｂ  第４係合凹部
【図１】
2016005416.tif 000003
【図２】
2016005416.tif 000004
【図３】
2016005416.tif 000005
【図４】
2016005416.tif 000006
【図５】
2016005416.tif 000007
【図６】
2016005416.tif 000008
【図７】
2016005416.tif 000009
【図８】
2016005416.tif 000010